(57)【要約】【課題】注出口部を有するキャップ本体と、かかるキャップ本体に着脱可能な上蓋とを備えるキャップにおいて、開封前の密封性を確実にするとともに、開封後も同等の密封性を維持することができるキャップの封止構造を提供する。【解決手段】キャップ本体２の注出口部２５に挿入される封止部７１と、縦断面Ｕ字状の外周嵌合部７２とを有する封止体７を、上蓋３の天面部３１から筒状に垂下する嵌合筒部３２に、外周嵌合部７２を遊嵌状に嵌合させることによって、上蓋３に取り付けるとともに、キャップ本体２が、筒状に立ち上る注出口部２５の基端から外方に張り出す縁枠部２４を有し、封止部７１が注出口部２５に挿入されたときに、縁枠部２４の外周縁に形成された係合段部２４ａに、外周嵌合部７２の下端縁を係合させる。【選択図】      図２
2018154373.tif 000002
【特許請求の範囲】
【請求項１】
注出口部を有するキャップ本体と、前記キャップ本体に着脱可能な上蓋とを備えるキャ
ップにおいて、前記注出口部を封止するキャップの封止構造であって、
前記注出口部に挿入される封止部と、縦断面Ｕ字状の外周嵌合部とを有する封止体が、
前記上蓋の天面部から筒状に垂下する嵌合筒部に、前記外周嵌合部が遊嵌状に嵌合される
ことによって、前記上蓋に取り付けられているとともに、
前記キャップ本体が、筒状に立ち上る前記注出口部の基端から外方に張り出す縁枠部を
有し、前記封止部が前記注出口部に挿入されたときに、前記縁枠部の外周縁に形成された
係合段部に、前記外周嵌合部の下端縁が係合することを特徴とするキャップの封止構造。
【請求項２】
前記上蓋の天面部から垂下するガイド筒を設け、前記ガイド筒の先端が、前記キャップ
本体から立ち上る外側立ち上り部と内側立ち上り部との間に被嵌される請求項１に記載の
キャップの封止構造。
【請求項３】
前記注出口部の基端側内周面に窪みが形成されるとともに、前記窪みと係合する膨出部
が前記封止部の側面に形成されている請求項１又は２に記載のキャップの封止構造。
【発明の詳細な説明】
【技術分野】
【０００１】
本発明は、注出口部を有するキャップ本体と、かかるキャップ本体に着脱可能な上蓋と
を備えるキャップにおいて、キャップ本体の注出口部に、上蓋に取り付けた封止体を嵌合
して、注出口部を封止するキャップの封止構造に関する。
【背景技術】
【０００２】
前述した封止構造に関して、容器１口部へ打栓される注出口付きの中栓１０であって、
容器へ嵌合される他部材への移行が可能な移行栓２０を前記注出口１７へ嵌合させる容器
中栓と、前記容器口部へ打栓した中栓１０を覆うオーバーキャップ３０を容器へ嵌合させ
ることで、該オーバーキャップ天面３１から垂下する嵌合筒３５を前記移行栓２０へ嵌合
させ、前記容器からオーバーキャップ３０を離脱させることによる開封時に、前記移行栓
２０は前記オーバーキャップ３０へ移行可能に設けた容器蓋が提案されている（特許文献
１）。
【先行技術文献】
【特許文献】
【０００３】
【特許文献１】特開２０１０−５２８１０号公報
【発明の概要】
【発明が解決しようとする課題】
【０００４】
そして、特許文献１の容器中栓、容器蓋から成る蓋付き容器は、打栓時における中栓注
出口からの液体の飛跳ねを防止し、オーバーキャップ３０の容器１への装着時に移行栓２
０を介して中栓注出口の閉蓋、また、オーバーキャップ３０の容器からの離脱時に中栓注
出口の開蓋が、それぞれ同時に行える蓋付き容器とするものである。
しかしながら、特許文献１の蓋付き容器は、移行栓２０の周壁２１を注出口１７の内面
に密着させて封止しているが、この封止構造では、容器の落下等において、オーバーキャ
ップ３０に衝撃が加わると、その衝撃がオーバーキャップ３０に嵌合されている移行栓２
０にも伝わる。このため、中栓１０の注出口１７を封止する移行栓２０が外れてしまった
り、変形したりするなどして、密封性が維持できなくなるという問題があった。
【０００５】
本発明は、上記したような事情に鑑みてなされたものであり、注出口部を有するキャッ
プ本体と、かかるキャップ本体に着脱可能な上蓋とを備えるキャップにおいて、注出口部
を確実に封止して開封前の未使用状態での密封性を確保するとともに、開封後も同等の密
封性を維持することができるキャップの封止構造の提供を目的とする。
【課題を解決するための手段】
【０００６】
本発明に係るキャップの封止構造は、注出口部を有するキャップ本体と、前記キャップ
本体に着脱可能な上蓋とを備えるキャップにおいて、前記注出口部を封止するキャップの
封止構造であって、前記注出口部に挿入される封止部と、縦断面Ｕ字状の外周嵌合部とを
有する封止体が、前記上蓋の天面部から筒状に垂下する嵌合筒部に、前記外周嵌合部が遊
嵌状に嵌合されることによって、前記上蓋に取り付けられているとともに、前記キャップ
本体が、筒状に立ち上る前記注出口部の基端から外方に張り出す縁枠部を有し、前記封止
部が前記注出口部に挿入されたときに、前記縁枠部の外周縁に形成された係合段部に、前
記外周嵌合部の下端縁が係合する構成としてある。
【発明の効果】
【０００７】
本発明のキャップの封止構造は、上蓋に取り付けられる封止体が、キャップ本体の注出
口部に挿入される封止部と、縦断面Ｕ字状の外周嵌合部を有し、この外周嵌合部が前記上
蓋に遊嵌状に嵌合されている。また、キャップ本体の注出口部の基端から外方に張り出す
縁枠部が形成され、前記キャップ本体が、筒状に立ち上る注出口部の基端から外方に張り
出す縁枠部を有し、前記封止部が注出口部に挿入されたときに、前記縁枠部の外周縁に形
成された係合段部に、封止体の外周嵌合部の下端縁が係合する。
このため、本発明のキャップの封止構造によれば、キャップ本体の注出口部に上蓋に取
り付けた封止体を嵌合することによって、キャップ本体の注出口部を確実に封止すること
ができる。そのため、開封前の未使用状態における容器内の密封性を確保できるだけでな
く、開封後にあっても、上蓋に取り付けた封止体を注出口部に嵌合して再封止することに
よって、開封前と同等の密封性を維持することができる。
【図面の簡単な説明】
【０００８】
【図１】本発明の実施形態に係るキャップの封止構造を適用したキャップの概略を示す平面図である。
【図２】図１のＡ−Ａ断面図である。
【図３】本発明の実施形態に係るキャップの封止構造を適用したキャップの概略を示す平面図である。
【図４】図３のＢ−Ｂ断面図である。
【図５】スリットバルブの一例を示す斜視図である。
【図６】封止体の一例を示す斜視図である。
【図７】図２の要部拡大図である。
【発明を実施するための形態】
【０００９】
以下、本発明に係るキャップの封止構造の一実施形態について、図面を参照しつつ説明
する。
【００１０】
本実施形態におけるキャップ１は合成樹脂からなり、キャップ本体２と、キャップ本体
２に着脱可能な上蓋３とが、ヒンジ４で連結された、いわゆるヒンジキャップに本発明を
適用した例であって、圧搾可能な容器の口部１０に装着して用いられる。
【００１１】
ここで、図１は、キャップ本体２に上蓋３を嵌着した状態を示す平面図、図２は、図１
のＡ−Ａ断面図であり、キャップ１を構成する各部材についての上下左右及び縦横の方向
は、図２に示す状態で規定される方向とする。
また、図３は、キャップ本体２から上蓋３を離脱させた状態を示す平面図、図４は、図
３のＢ−Ｂ断面図である。
【００１２】
本実施形態において、キャップ本体２は、外周縁に沿って垂下する外側筒部２１と、そ
の内側に同心状に垂下する内側筒部２２とを有している。そして、容器の口部１０にキャ
ップ１を装着した際に、外側筒部２１の下端側内周面に形成された嵌合部２１ａが、口部
１０の外周面側に形成された嵌合部１０ａと嵌合するとともに、内側筒部２２が口部１０
の内周面に液密に密着するようになっている。
【００１３】
このようにすることで、キャップ１が打栓によって、容器の口部１０に液密に装着され
るようにしているが、キャップ１の装着手段は、容器の口部１０にキャップ１を液密に装
着できれば、これに限定されない。
【００１４】
また、キャップ本体２には、スリットバルブ５が取り付けられている。スリットバルブ
５は、例えば、十字状などに切り込まれたスリットＳが形成された頂部５ａと、頂部５ａ
の外周縁に沿って垂下する筒状部５ｂと、筒状部５ｂの下端側に外方に張り出すようにし
て形成されたフランジ部５ｃとを有している。このようなスリットバルブ５は、例えば、
シリコーンゴムなどの弾性材料からなり、頂部５ａに形成されたスリットＳが、弾性変形
によって開閉するように形成されている。
なお、図５は、スリットバルブ５を斜め上方からみた斜視図である。
【００１５】
キャップ本体２は、スリットバルブ５の上方に開口して、筒状に立ち上る注出口部２５
を有している。注出口部２５は、スリットバルブ５のスリットＳから吐出された内容物の
注出口となる部位であり、スリットバルブ５の頂部５ａの外径に対して、注出口部２５の
内径が小さくなるように形成されている。そして、内容物を注出する際の液切れを良くし
て、容器を正立状態に戻す際の液垂れ、注出口部２５の先端側の内容物の残留をより良好
に抑止するために、図示するように、注出口部２５の先端側の内周面が、先端に向かって
拡径するように傾斜しているとともに、注出口部２５の先端が外方に反り返るように湾曲
して形成されているのが好ましい。
【００１６】
また、キャップ本体２は、注出口部２５の基端から外方に張り出して、スリットバルブ
５の頂部５ａの周縁側を覆う縁枠部２４と、縁枠部２４の外周縁に沿って垂下して、スリ
ットバルブ５の側面を囲む側壁部２３とを有しており、これらによって画成される凹陥部
に、スリットバルブ５が挿入されるようになっている。そして、側壁部２３の下端側には
、スリットバルブ５のフランジ部５ｃが係止される係止段部２３ａが設けられているとと
もに、係止段部２３ａに近接した位置に、環状の押さえ部材６の周縁が嵌入される凸部２
３ｂが設けられている。
【００１７】
これにより、スリットバルブ５は、そのフランジ部５ｃが係止段部２３ａと押さえ部材
６とに挟持されて、キャップ本体２に取り付けられるようにしているが、スリットバルブ
５の取り付け手段は、側壁部２３と縁枠部２４とによって画成される凹陥部からスリット
バルブ５が容易に脱落しないように取り付けることができれば、これに限定されない。
【００１８】
また、キャップ本体２に着脱される上蓋３には、上蓋３をキャップ本体２に嵌着した際
に、注出口部２５を封止して、内容物が漏れ出したりしないようにするための封止体７が
取り付けられている。封止体７は、注出口部２５に挿入される封止部７１と、上蓋３の天
面部３１から筒状に垂下する嵌合筒部３２に嵌合される外周嵌合部７２とを有している。
なお、図６は、封止体７を斜め下方からみた斜視図である。
【００１９】
封止体７の外周嵌合部７２は、外側筒部７３と内側筒部７４とを有しており、これらの
下端が底板部７５で連結されて、縦断面Ｕ字状となるように形成されている。そして、外
側筒部７３の上端側外周面に形成された嵌合凸部７３ａと、嵌合筒部３２の下端側内周面
に形成された嵌合凸部３２ａとによって、上蓋３の嵌合筒部３２に、封止体７の外周嵌合
部７２が遊嵌状に嵌合するようになっており、外側筒部７３の嵌合凸部７３ａと、嵌合筒
部３２の嵌合凸部３２ａとの間には、遊びが設けられるようにしてある。このようにする
ことで、キャップ本体２に上蓋３を嵌着した状態で、容器が落下などして衝撃が加わった
ときに、その衝撃、特に縦方向の衝撃を吸収できるようにしている。
【００２０】
また、封止体７の封止部７１が注出口部２５に挿入されたときに、注出口部２５の内周
面に封止部７１が液密に密着して注出口部２５を封止できるように、これらの寸法などが
適宜設定される。このとき、注出口部２５の内周面と封止部７１との密着性を高めるため
に、注出口部２５の基端側内周面に窪み２５ａを形成し、この窪み２５ａと係合する膨出
部７１ａを封止部７１の側面に形成するのも有効である。そして、前述したように、注出
口部２５の先端が外方に反り返るように湾曲して形成されていると、注出口部２５の外周
面側からの係合が困難なため、このような場合に、上記構成は特に有効である。
【００２１】
さらに、封止体７の封止部７１が注出口部２５に挿入されたときに、キャップ本体２の
縁枠部２４の外周縁に形成された係合段部２４ａに、封止体７の外周嵌合部７２の下端縁
が係合して、封止部７１が挿入された注出口部２５を抑えつけることによっても、注出口
部２５の内周面と封止部７１との密着性を高めることができる。さらに、縦断面Ｕ字状と
なるように形成された外周嵌合部７２は、緩衝部としても機能するため、キャップ本体２
に上蓋３を嵌着した状態で、容器が落下などして衝撃が加わったときに、その衝撃、特に
横方向の衝撃を吸収することができる。
これにより、本実施形態にあっては、上蓋３の嵌合筒部３２に、封止体７の縦断面Ｕ字
状に形成された外周嵌合部７２を遊嵌状に嵌合させたことと相俟って、より確実に注出口
部２５を封止することができる。特に、本実施形態では、注出口部２５の先端側が封止体
７に接触することなく、注出口部２５を封止するため、注出口部２５の先端が外方に反り
返るように湾曲して形成されていても、注出口部２５の封止が確実に行われる。
【００２２】
ここで、図２において、部材どうしが重なって図示されている部分は、実際には、弾性
変形して互いに押圧力が作用している。例えば、図２の鎖線で囲む部分を拡大して図７に
示すが、封止体７の封止部７１と注出口部２５とには、図７に矢印で示す力が作用して、
互いに密着するようになっている。また、封止体７の外周嵌合部７２（外側筒部７３）に
は、図７に矢印で示す力が作用して、上蓋３の天面部３１によって押し下げられて、外周
嵌合部７２が付勢された状態で、注出口部２５を抑えつけることができるようにしている
。
【００２３】
また、本実施形態にあっては、上蓋３の天面部３１から垂下するガイド筒３３を設け、
かかるガイド筒３３の先端が、キャップ本体２から立ち上る外側立ち上り部２ａと内側立
ち上り部２ｂとの間に被嵌されるようにしている。このように被嵌することによっても、
容器が落下などして衝撃が加わったときに、その衝撃、特に横方向の衝撃が吸収されるよ
うにすることができ、注出口部２５をより確実に封止できる。
【００２４】
キャップ本体２の外側立ち上り部２ａと内側立ち上り部２ｂは、環状に連続して形成し
てもよく、また、一部を切り欠いて形成してもよい。さらに、外側立ち上り部２ａは、図
示するように、その内周面が先端に向かって拡径するように形成され、内側立ち上り部２
ｂはその外周面が先端に向かって縮径するように、傾斜する環状壁に形成するのが好まし
い。このようにすることで、キャップ本体２に上蓋３を嵌着する際に、ガイド筒３３の先
端が、外側立ち上り部２ａの内周面または内側立ち上り部２ｂの外周面に当接して案内さ
れて、外側立ち上り部２ａと内側立ち上り部２ｂとの間に被嵌される。その結果、封止体
７の封止部７１と注出口部２５との位置ズレを防いで、より確実に封止部７１が注出口部
２５に挿入されるようにすることができる。
【００２５】
また、キャップ本体２に上蓋３を嵌着させるにあたり、本実施形態では、外側立ち上り
部２ａをキャップ本体２の外周縁側に形成し、内側立ち上り部２ｂとガイド筒３３の位置
を適宜調整して上蓋３の天面部３１の外周縁から垂下する筒部３０の下端側内周面に形成
された嵌合部３０ａが、外側立ち上り部２ａの上端縁に嵌合するようにしている。
【００２６】
以上のような構成とした本実施形態に係るキャップの封止構造によれば、キャップ本体
２の注出口部２５に上蓋３に取り付けた封止体を嵌合するだけで、注出口部２５を確実に
封止することができる。そのため、開封前の未使用状態における容器内の密封性を確保で
きるだけでなく、開封後にあっても、上蓋３に取り付けた封止体７をキャップ本体２の注
出口部２５に嵌合して注出口部２５を再封止することによって、開封前と同等の密封性を
維持することができる。
【００２７】
以上、本発明について、好ましい実施形態を示して説明したが、本発明は、前述した実
施形態にのみ限定されるものではなく、本発明の範囲で種々の変更実施が可能であること
はいうまでもない。
【００２８】
例えば、前述した実施形態では、キャップ本体２にスリットバルブ５が取り付けられた
例を挙げているが、スリットバルブ５は省略してもよい。
また、前述した実施形態では、キャップ本体２と上蓋３とがヒンジ４で連結された例を
挙げているが、キャップ本体２と上蓋３とは別々に分離して形成されたものであってもよ
く、上蓋３は、螺合によってキャップ本体２に着脱可能とすることもできる。
【００２９】
本発明は、例えば、油類、醤油、ソース、ドレッシング等の調味料類、洗剤、化粧品等
の薬液類などを内容物とする容器の口部に装着して用いられるキャップの封止構造として
利用することができる。
【符号の説明】
【００３０】
１          キャップ
２          キャップ本体
２ａ          外側立ち上り部
２ｂ          内側立ち上り部
２４          縁枠部
２４ａ          係合段部
２５          注出口部
２５ａ          窪み
３          上蓋
３２          嵌合筒部
７          封止体
７１          封止部
７１ａ          膨出部
７２          外周嵌合部
【図１】
2018154373.tif 000003
【図２】
2018154373.tif 000004
【図３】
2018154373.tif 000005
【図４】
2018154373.tif 000006
【図５】
2018154373.tif 000007
【図６】
2018154373.tif 000008
【図７】
2018154373.tif 000009